【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
所定の無線通信規格に従って他の電子機器と無線通信する通信装置において、
前記所定の無線通信規格に従って前記他の電子機器と無線通信する無線通信手段と、
前記他の電子機器に無線接続するために必要な設定情報が記録された情報記録媒体の存在を検出する検出手段と、
前記検出手段によって検出された前記情報記録媒体から、非接触通信によって前記設定情報を読み出す読み出し手段と、
前記読み出し手段によって読み出された前記設定情報に従って前記無線通信手段の設定を調整する設定手段と
を含むことを特徴とする通信装置。
【請求項２】
前記所定の無線通信規格は、IEEE８０２．１１bである
ことを特徴とする請求項１に記載の通信装置。
【請求項３】
前記所定の無線通信規格は、Bluetoothである
ことを特徴とする請求項１に記載の通信装置。
【請求項４】
前記非接触通信は、FeliCAシステムを用いる
ことを特徴とする請求項１に記載の通信装置。
【請求項５】
前記情報記録媒体は、ＩＣカードである
ことを特徴とする請求項１に記載の通信装置。
【請求項６】
前記設定情報は、ＩＤ情報、前記ＩＤ情報に対応するパスワード、ユーザ名、および前記ユーザ名に対応するパスワードのうちの少なくとも１つを含む
ことを特徴とする請求項１に記載の通信装置。
【請求項７】
前記検出手段によって検出された前記情報記録媒体に対し、前記非接触通信によって、前記通信装置に無線接続するために必要な設定情報を記録する記録手段を
さらに含むことを特徴とする請求項１に記載の通信装置。
【請求項８】
所定の無線通信規格に従って他の電子機器と無線通信する通信装置の通信方法において、
前記所定の無線通信規格に従って前記他の電子機器と無線通信する無線通信ステップと、
前記他の電子機器に無線接続するために必要な設定情報が記録された情報記録媒体の存在を検出する検出ステップと、
前記検出ステップの処理で検出された前記情報記録媒体から、非接触通信によって前記設定情報を読み出す読み出しステップと、
前記読み出しステップの処理で読み出された前記設定情報に従って前記無線通信ステップの処理の設定を調整する設定ステップと
を含むことを特徴とする通信方法。
【請求項９】
所定の無線通信規格に従って他の電子機器と無線通信する通信装置のプログラムであって、
前記所定の無線通信規格に従って前記他の電子機器と無線通信する無線通信ステップと、
前記他の電子機器に無線接続するために必要な設定情報が記録された情報記録媒体の存在を検出する検出ステップと、
前記検出ステップの処理で検出された前記情報記録媒体から、非接触通信によって前記設定情報を読み出す読み出しステップと、
前記読み出しステップの処理で読み出された前記設定情報に従って前記無線通信ステップの処理の設定を調整する設定ステップと
を含むことを特徴とするコンピュータが読み取り可能なプログラムが記録されている記録媒体。
【請求項１０】
所定の無線通信規格に従って他の電子機器と無線通信する通信装置を制御するコンピュータに、
前記所定の無線通信規格に従って前記他の電子機器と無線通信する無線通信ステップと、
前記他の電子機器に無線接続するために必要な設定情報が記録された情報記録媒体の存在を検出する検出ステップと、
前記検出ステップの処理で検出された前記情報記録媒体から、非接触通信によって前記設定情報を読み出す読み出しステップと、
前記読み出しステップの処理で読み出された前記設定情報に従って前記無線通信ステップの処理の設定を調整する設定ステップと
を含む処理を実行させることを特徴とするプログラム。
【手続補正２】
【補正対象書類名】明細書
【補正対象項目名】０００４
【補正方法】変更
【補正の内容】
【０００４】
Bluetoothは、例えば、パーソナルコンピュータ、PDA(Personal Digital Assistant)、携帯電話機、ディジタルビデオカメラなどの間で、所定のデータ（制御コマンドのデータ、テキストデータ、静止画データ、動画データ、オーディオデータなど）を通信する用途に用いられる（例えば、非特許文献１参照）。
【非特許文献１】
宮津和弘著「Bluetoothガイドブック」日刊工業新聞社、２０００年８月２８日発行


【手続補正３】
【補正対象書類名】明細書
【補正対象項目名】００１０
【補正方法】変更
【補正の内容】
【００１０】
【課題を解決するための手段】
本発明の通信装置は、所定の無線通信規格に従って他の電子機器と無線通信する無線通信手段と、他の電子機器に無線接続するために必要な設定情報が記録された情報記録媒体の存在を検出する検出手段と、検出手段によって検出された情報記録媒体から、非接触通信によって設定情報を読み出す読み出し手段と、読み出し手段によって読み出された設定情報に従って無線通信手段の設定を調整する設定手段とを含むことを特徴とする。


【手続補正４】
【補正対象書類名】明細書
【補正対象項目名】００１２
【補正方法】変更
【補正の内容】
【００１２】
前記所定の無線通信規格は、Bluetoothであるようにすることができる。


【手続補正５】
【補正対象書類名】明細書
【補正対象項目名】００１６
【補正方法】変更
【補正の内容】
【００１６】
本発明の通信装置は、検出手段によって検出された情報記録媒体に対し、非接触通信によって、通信装置に無線接続するために必要な設定情報を記録する記録手段をさらに含むことができる。


【手続補正６】
【補正対象書類名】明細書
【補正対象項目名】００１７
【補正方法】変更
【補正の内容】
【００１７】
本発明の通信方法は、所定の無線通信規格に従って他の電子機器と無線通信する無線通信ステップと、他の電子機器に無線接続するために必要な設定情報が記録された情報記録媒体の存在を検出する検出ステップと、検出ステップの処理で検出された情報記録媒体から、非接触通信によって設定情報を読み出す読み出しステップと、読み出しステップの処理で読み出された設定情報に従って無線通信ステップの処理の設定を調整する設定ステップとを含むことを特徴とする。


【手続補正７】
【補正対象書類名】明細書
【補正対象項目名】００１８
【補正方法】変更
【補正の内容】
【００１８】
本発明の記録媒体のプログラムは、所定の無線通信規格に従って他の電子機器と無線通信する無線通信ステップと、他の電子機器に無線接続するために必要な設定情報が記録された情報記録媒体の存在を検出する検出ステップと、検出ステップの処理で検出された情報記録媒体から、非接触通信によって設定情報を読み出す読み出しステップと、読み出しステップの処理で読み出された設定情報に従って無線通信ステップの処理の設定を調整する設定ステップとを含むことを特徴とする。


【手続補正８】
【補正対象書類名】明細書
【補正対象項目名】００１９
【補正方法】変更
【補正の内容】
【００１９】
本発明のプログラムは、所定の無線通信規格に従って他の電子機器と無線通信する無線通信ステップと、他の電子機器に無線接続するために必要な設定情報が記録された情報記録媒体の存在を検出する検出ステップと、検出ステップの処理で検出された情報記録媒体から、非接触通信によって設定情報を読み出す読み出しステップと、読み出しステップの処理で読み出された設定情報に従って無線通信ステップの処理の設定を調整する設定ステップとを含む処理をコンピュータに実行させることを特徴とする。


【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】変更
【補正の内容】
【００３０】
本発明の通信装置および方法、並びにプログラムにおいては、他の電子機器に無線接続するために必要な設定情報が記録された情報記録媒体の存在が検出され、検出された情報記録媒体から、非接触通信によって設定情報が読み出され、読み出された設定情報に従って、無線通信の処理の設定が調整される。


【手続補正２０】
【補正対象書類名】明細書
【補正対象項目名】００３１
【補正方法】削除
【補正の内容】